(57)【特許請求の範囲】
【請求項１】
器体の前部の上部に注出口が、後部にほぼ上下に向く握り部を有したハンドルがそれぞれ設けられ、器体の上部の給排液口に着脱できるように装着され、かつ、この装着状態で器体内と前記注出口とを連絡する通水路と、この通水路を上動付勢によって常時閉じるように設けられた開閉弁とを有した着脱栓と、ハンドルを握った手の親指で操作されて前記開閉弁を開き操作する開き操作機構とを備えたハンディポットにおいて、
前記開き操作機構は、着脱栓に設けられて、軸を中心に弧回動して先端部で前記開閉弁を押し下げ操作して押し開く押し開きレバーと、ハンドルの握り部の上部に設けられて、軸を中心に弧回動して前記押し開きレバーの尾端部を先端部で直接または間接に押し上げて押し開きレバーをヘッドの窓に臨出した位置から先端部が下動するように開き操作する開き操作レバーとを備え、押し開きレバーは開閉弁の常閉状態への復帰によってヘッドの窓に臨出する位置まで押し上げられるように設け、開き操作レバーの尾端部はハンドルの握り部の上部に握り部を握った手の親指によって押し下げ操作できるように上向きに臨んで位置するようにしたことを特徴とするハンディポット。
【請求項２】
器体の前部の上部に注出口が、後部にほぼ上下に向く握り部を有したハンドルがそれぞれ設けられ、器体の上部の給排液口に着脱できるように装着され、かつ、この装着状態で器体内と前記注出口とを連絡する通水路と、この通水路を上動付勢によって常時閉じるように設けられた開閉弁とを有した着脱栓と、ハンドルを握った手の親指で操作されて前記開閉弁を開き操作する開き操作機構とを備えたハンディポットにおいて、
前記開き操作機構は、着脱栓に設けられて、軸を中心に弧回動して先端部で前記開閉弁を押し下げ操作して押し開く押し開きレバーと、ハンドルの握り部の上部に設けられて、軸を中心に弧回動して前記押し開きレバーの尾端部を先端部で上下動する仲介部材を介して押し上げて押し開きレバーをヘッドの窓に臨出した位置から先端部が下動するように開き操作する開き操作レバーとを備え、開き操作レバーの尾端部はハンドルの握り部の上部に握り部を握った手の親指によって押し下げ操作できるように上向きに臨んで位置するようにしたことを特徴とするハンディポット。
【発明の詳細な説明】
【０００１】
【発明の属する技術分野】
本発明は器体に有するハンドルを手で握って器体を持ち上げ、ハンドルを握った手の親指で開閉弁の開き操作をした状態で、器体を傾けて器体内の貯液を注出するようにしたハンディポットに関するものである。
【０００２】
【従来の技術】
この種のハンディポットは従来、上記のような取り扱いをするため図７に示すように、器体ａの前部の上部に注出口ｂが、後部にほぼ上下に向く握り部ｃ１を有したハンドルｃがそれぞれ設けられ、器体ａの上部の給排液口ｄに着脱できるように装着され、かつ、この装着状態で器体ａ内と前記注出口ｂとを連絡する通水路ｅと、この通水路ｅを上動付勢によって常時閉じるように設けられた開閉弁ｆとを有した着脱栓ｇと、ハンドルｃを握った手の親指で操作されて前記開閉弁ｆを開き操作する開き操作機構ｊとを備え、前記開き操作機構ｊは、着脱栓ｇに設けられて着脱栓ｇを横断する方向にスライドして前記開閉弁ｆをカム部ｈ１で押し下げ操作して押し開く押し開きロッドｈと、ハンドルｃの握り部ｃ１の上部に設けられて尾端部ｉ１を前方に向けて押動されて前記押し開きロッドｈの尾端部ｈ２を先端部ｉ２で押動し、押し開きロッドｈを介した開閉弁ｆの開き操作をする開き操作ロッドｉとを備えている。
【０００３】
【発明が解決しようとする課題】
しかし、上記開き操作ロッドｉを押動する操作は、ハンドルｃのほぼ上下に向く握り部ｃ１を握った手の親指で開き操作ロッドｉを前方へ押し出す動きとなり、ごく自然に立てた親指の腹部のほぼ平行移動により押圧操作することになるが、親指の自然な屈曲を十分に利用できないので力が入りにくく操作しにくい。その他の操作方法ではハンドルｃの握りや親指の動きが余計に不自然になり、器体ａの取り扱いや開き操作がより困難になる。
【０００４】
本発明の目的は、自然な握りや親指の動きにより器体を容易に取り扱い開閉弁を軽快に開き操作できるハンディポットを提供することにある。
【０００５】
【課題を解決するための手段】
上記の目的を達成するために、本発明のハンディポットは、器体の前部の上部に注出口が、後部にほぼ上下に向く握り部を有したハンドルがそれぞれ設けられ、器体の上部の給排液口に着脱できるように装着され、かつ、この装着状態で器体内と前記注出口とを連絡する通水路と、この通水路を上動付勢によって常時閉じるように設けられた開閉弁とを有した着脱栓と、ハンドルを握った手の親指で操作されて前記開閉弁を開き操作する開き操作機構とを備え、前記開き操作機構は、着脱栓に設けられて、軸を中心に弧回動して先端部で前記開閉弁を押し下げ操作して押し開く押し開きレバーと、ハンドルの握り部の上部に設けられて、軸を中心に弧回動して前記押し開きレバーの尾端部を先端部で直接または間接に押し上げて押し開きレバーをヘッドの窓に臨出した位置から先端部が下動するように開き操作する開き操作レバーとを備え、押し開きレバーは開閉弁の常閉状態への復帰によってヘッドの窓に臨出する位置まで押し上げられるように設け、開き操作レバーの尾端部はハンドルの握り部の上部に握り部を握った手の親指によって押し下げ操作できるように上向きに臨んで位置するようにしたことを主たる特徴としている。
【０００６】
このような構成では、ハンドルのほぼ上下に向く握り部を手で握って器体を持ち上げ、その手の親指で開き操作機構を操作して開閉弁を開いた後、器体を傾けて貯液を注出するのに、ハンドルの握り部の上部に押し下げ操作できるように臨んでいる開き操作レバーの尾端部を押し下げ操作すると、開き操作レバーが軸を中心に弧回動して先端部で押し開きレバーの尾端部を直接または間接に押し上げて開きレバーをヘッドの窓に臨出した位置から先端部が下動するように開き操作し、これにより押し開きレバーの先端部で開閉弁をその上動付勢に抗して下方に押し開くので、２つのレバーのレバー比の設定により開閉弁を常閉なように付勢する付勢力と、開閉弁を開き操作するのに必要な操作力との関係を高い自由度で所望のままに設定でき、開閉弁の十分な常閉力によって器体が横転したときの貯液の流出防止の安全を確保しながら、開閉弁を開くのに必要な操作力を軽すぎることによる誤操作やいたずら操作されやすくなるような問題のない程度に軽減するといった微妙な設定をすることができる。併せて、開き操作レバーの尾端部の押し下げはほぼ上下に向く握り部を握った手の親指を立てた状態から前方下向きに大きく屈曲させる、いわば、シャープペンシルやボールペンの上端部でのノック操作のような自然で力の入りやすい動きによって軽快に操作することができるし、これによってハンドルのほぼ上下に向く握り部の握りも自然なものになる。従って、互いに外部に臨む２つのレバーを利用して自然な握りや親指の動きにより器体を容易に取り扱い開閉弁を軽快に開き操作できる。
【０００７】
本発明のハンディポットは、また、器体の前部の上部に注出口が、後部にほぼ上下に向く握り部を有したハンドルがそれぞれ設けられ、器体の上部の給排液口に着脱できるように装着され、かつ、この装着状態で器体内と前記注出口とを連絡する通水路と、この通水路を上動付勢によって常時閉じるように設けられた開閉弁とを有した着脱栓と、ハンドルを握った手の親指で操作されて前記開閉弁を開き操作する開き操作機構とを備え、前記開き操作機構は、着脱栓に設けられて、軸を中心に弧回動して先端部で前記開閉弁を押し下げ操作して押し開く押し開きレバーと、ハンドルの握り部の上部に設けられて、軸を中心に弧回動して前記押し開きレバーの尾端部を先端部で上下動する仲介部材を介し押し上げて押し開きレバーをヘッドの窓に臨出した位置から先端部が下動するように開き操作する開き操作レバーとを備え、開き操作レバーの尾端部はハンドルの握り部の上部に握り部を握った手の親指によって押し下げ操作できるように上向きに臨んで位置するようにしたことを別の特徴としている。
【０００８】
このような構成では、ハンドルのほぼ上下に向く握り部を手で握って器体を持ち上げ、その手の親指で開き操作機構を操作して開閉弁を開いた後、器体を傾けて貯液を注出するのに、ハンドルの握り部の上部に押し下げ操作できるように臨んでいる開き操作レバーの尾端部を押し下げ操作すると、開き操作レバーが軸を中心に弧回動して先端部で押し開きレバーの尾端部を上下動する仲介部材を介し押し上げて押し開きレバーをヘッドの窓に臨出した位置から先端部が下動するように開き操作し、これにより押し開きレバーの先端部で開閉弁をその上動付勢に抗して下方に押し開くので、２つのレバーのレバー比の設定により開閉弁を常閉なように付勢する付勢力と、開閉弁を開き操作するのに必要な操作力との関係を高い自由度で所望のままに設定でき、開閉弁の十分な常閉力によって器体が横転したときの貯液の流出防止の安全を確保しながら、開閉弁を開くのに必要な操作力を軽すぎることによる誤操作やいたずら操作されやすくなるような問題のない程度に軽減するといった微妙な設定をすることができる。併せて、開き操作レバーの尾端部の押し下げはほぼ上下に向く握り部を握った手の親指を立てた状態から前方下向きに大きく屈曲させる、いわば、シャープペンシルやボールペンの上端部でのノック操作のような自然で力の入りやすい動きによって軽快に操作することができるし、これによってハンドルのほぼ上下に向く握り部の握りも自然なものになる。従って、自然な握りや親指の動きにより器体を容易に取り扱い開閉弁を軽快に開き操作できる。特に、開き操作レバーと押し開きレバーとは仲介部材を介して連動するようにするので、２つのレバーが互いの連動のために特に複雑な形状や構造を持たなくてよくなる。
【０００９】
本発明の他の目的および特徴は、以下の詳細な説明および図面の記載によって明らかになる。また、本発明の各特徴は、それ単独で、あるいは種々な組み合わせで複合して用いることができる。
【００１０】
【発明の実施の形態】
以下、本発明の実施の形態についてその実施例とともに図１〜図７を参照しながら説明し、本発明の理解に供する。
【００１１】
本実施の形態のハンディポットは、図１〜図６に示すように従来の場合同様、器体１の前部の上部に注出口２が設けられ、後部にほぼ上下に向く握り部３ａを有したハンドル３が設けられている。また、器体１の上部の給排液口４に着脱できるように装着され、かつ、この装着状態で器体１内と注出口２とを連絡する通水路５と、この通水路５をばね６を利用した上動付勢によって図１、図４に示すように常時閉じるように設けられた開閉弁７とを有した着脱栓８、および、ハンドル３の握り部３ａを握った手の親指で操作されて前記開閉弁７を開き操作する開き操作機構９とを備え、ハンドル３のほぼ上下に向く握り部３ａを手で握って器体１を持ち上げ、その手の親指で開き操作機構９を操作して開閉弁７を図２、図５に示すように開いた後、器体１を傾けることにより貯液を注出することができる。
【００１２】
本実施の形態のハンディポットは特に、前記開き操作機構９が、着脱栓８に設けられて、先端部１１ａおよび尾端部１１ｂ間の軸１２を中心に上下の向きに弧回動して反時計まわりの弧回動のとき前記開閉弁７を先端部１１ａで押し下げ操作して押し開く押し開きレバー１１と、ハンドル３の握り部３ａの上部に設けられて、先端部１３ａおよび尾端部１３ｂ間の軸１４を中心に上下の向きに弧回動して時計まわりの弧回動のとき前記押し開きレバー１１の尾端部１１ｂを先端部１３ａで直接または間接に押し上げ、押し開きレバー１１を介した開閉弁７の開き操作をする開き操作レバー１３とを備え、開き操作レバー１３の尾端部１３ｂがハンドル３の握り部３ａの上部に握り部３ａを握った手の親指によって押し下げ操作できるように、図１、図４に示すように上向きに臨んで位置するようにしている。
【００１３】
これによって、ハンドル３のほぼ上下に向く握り部３ａを手で握って器体１を持ち上げ、前記のように貯液を注出するのに、ハンドル３の握り部３ａの上部に押し下げ操作できるように臨んでいる開き操作レバー１３の尾端部１３ｂを図２、図５に示すように押し下げ操作すると、開き操作レバー１３が軸１４を中心に時計まわりに弧回動して先端部１３ａが押し開きレバー１１の尾端部１１ｂを押し上げ、押し開きレバー１１が軸１２を中心に反時計まわりに弧回動して先端部１３ａで開閉弁７をそのばね６による上動付勢に抗して図２、図５に示すように下方に押し開く。
【００１４】
このとき、２つのレバー１１、１３のレバー比の設定により開閉弁７を常閉なように付勢するばね６の付勢力と、開閉弁７を開き操作するのに必要な操作力との関係を高い自由度で所望のままに設定できる。従って、開閉弁７の十分な常閉力によって器体１が横転したときの貯液の流出防止などの常閉機能による安全を確保しながら、開閉弁７を開くのに必要な操作力を軽すぎることによる誤操作やいたずら操作されやすくなるような問題のない程度に軽減するといった微妙な設定をすることができる。
【００１５】
これに併せて、開き操作レバー１３の尾端部１３ｂの押し下げはほぼ上下に向く握り部３ａを握った手の親指を立てた状態から前方下向きに大きく屈曲させる、いわば、シャープペンシルやボールペンの上端部でのノック操作のような自然で力の入りやすい動きによって軽快に操作にすることができるし、これによってハンドル３のほぼ上下に向く握り部３ａの握りも自然なものになる。従って、自然な握りや親指の動きにより器体１を容易に取り扱い開閉弁７を軽快に開き操作できる。
【００１６】
図１〜図３に示す第１の実施例および図４、図５に示す第２の実施例では、器体１は、内容器１５を収容したものであり、この内容器１５内が着脱栓８の通水路５を介して注出口２に通じるようにされ、上記器体１の取り扱いと開閉弁７の開き操作によって内容器１５内の貯液を注出することができる。この内容器１５は、種々なものを採用して上記の特徴を発揮しながら器体１の外観は器体１の外装ケース１６によって整えることができる。
【００１７】
内容器１５は、真空二重びん１５ａであり、外装ケース１６は鋼鈑板やステンレス鋼板などからなる金属板製のものとして外観を整えてある。外装ケース１６が金属板製で器体１の口部や底部に必要な複雑な形状や構造が得られにくいため、外装ケース１６の上端に合成樹脂製の肩部材１７を無理嵌め部１８の無理嵌めによって取り付け、肩部材１７によって上記の注出口２および給排液口４を形成している。また、外装ケース１６の下端に合成樹脂製の底部材１９をねじ環２１を利用して取り付け、この底部材１９に真空二重びん１５ａを給排液口４の底部開口９ａの下にシールパッキング２２を介し押し当てて固定する中ねじ２３を設けてある。ねじ環２１は外装ケース１６の下端に設けた内向きの折り曲げ部１６ａの上に載せられ、底部材１９は外装ケース１６の下方から自身の外ねじ１９ａをねじ合わせて、外ねじ１９ａの下部にあるフランジ１９ｂと前記ねじ環２１との間に外装ケース１６の折り曲げ部１６ａを挟み付ける状態で外装ケース１６の下端に取り付けられる。中ねじ２３は底部材１９の内ねじ１９ｃに下方からねじ合わせて真空二重びん１５ａの底部を必要な程度上向きに押圧できるようにしている。
【００１８】
上記のように、内容器１５が真空二重びん１５ａなどの真空二重容器であると、それが持つ真空断熱空間１５ｂによって保温、保冷効果の高いものとすることができる。真空二重容器としては熱伝導性の低いステンレス鋼製のもの、さらに熱伝導性の低い合成樹脂製のものなどがある。もっとも、合成樹脂製であると耐圧のためにスペーサなどを内部に設けて補強する必要がある。
【００１９】
注出口２は給排液口４の底部開口９ａを有した底部９ｂに沿って前部へ樋状に延び、給排液口４の上端とともに、着脱栓８の着脱口２５ａを持った蓋板２５によって覆ってある。注出口２の前端部内には上端部の軸２６ａを中心に揺動するフラップ弁２６が設けられ、軸２６ａから真下に垂れて安定するようにしてある。これによって、器体１が正立状態のときフラップ弁２６は注出口２の前端部開口を閉じゴミや虫などが侵入するのを防止する。器体１が前方へ傾けられて注出口２が前傾していくのにつれ、フラップ弁２６は前記垂下状態のままであることにより注出口２の前端部の開口を開いていき、貯液が注出されるのを邪魔しない。
【００２０】
着脱栓８は、合成樹脂製で中空な本体３１と、この本体３１の上端に無理嵌め部３２で無理嵌めなどして取り付けたカバーヘッド３３とで構成され、本体３１の外周に形成されたねじ３４を給排液口４の内周に形成されたねじ３５にねじ合わせて着脱されるようにしてある。本体３１は装着完了状態でその下端部３１ａが給排液口４の底部９ｂに着座し、下端部３１ａの中央部から下に突出する流入口５ａが真空二重びん１５ａの口部１５ｃに入り込んで内容器１５内に開口し、流入口５ａの突出基部の外まわりに装着したシリコンゴムなどよりなるシールパッキング３６が給排液口４の底部９ｂに圧着して低部開口９ａを密に閉じるようにしている。
【００２１】
通水路５は前記流入口５ａから本体３１の下端部内を前部側に向きを変えて注出口２の基部側の底部に流出口５ｂが開口し、開閉弁７が流入口５ａを開いたとき貯液が通水路５を通じて注出口２に流出して注出されるようにしている。通水路５は後部に向かう吸気路 5ｃを有し、貯液の注出時に外気を吸い込み貯液の注出がスムーズに行われるようにする。開閉弁７は本体３１の下端部３１ａの中央部に弁棒 7ａが上下動できるように嵌め合わせて、前記ばね６による上動付勢にて弁棒 7ａの下端にある弁体７ｂが流入口 5ａの下端に圧接して通水路 5を閉じるようにしてある。
【００２２】
ハンドル３は肩部材１７に上端部で連続するように一体成形され、下端部をねじ４１により外装ケース16に止められている。押し開きレバー１１はカバーヘッド３３内に前記軸１２により支持され、開閉弁７の常閉状態への復帰によって図１〜図３に示す第１の実施例ではカバーヘッド３３と面一な状態になるようにその窓３３ｃに臨出するように、図４、図５に示す第２の実施例ではカバーヘッド３３の内面近くまで達するように、先端部１１ａを押し上げられる。開き操作レバー１３はハンドル３の上端部に上向きに開口して設けられた凹部４２内に軸１４によって支持され、凹部４２部まで延びてこれを覆う蓋板２５に設けられた窓２５ｂを通じて、尾端部１３ｂが押し下げ操作できるように上向きに外部に臨んでいる。尾端部１３ｂは特に窓２５ｂの外に大きく張り出す押し下げ操作部１３ｃとし、さらに押し下げ操作しやすい構造となっている。
【００２３】
図３で代表して示すように、第１、第２の各実施例において、押し開きレバー１１および開き操作レバー１３はいずれも、器体１の半径線上に器体１の中心線４４からハンドル３の上端部にかけて帯状に連なるように設けられている。押し開きレバー１１の先端部１１ａが図１〜図５に示すように、ほぼ器体１および開閉弁７のほぼ中心線４４上で、かつ、ほぼ前記軸１２の高さとなる位置に開閉弁７に対する押圧操作部１１ａ１を有している。これにより、押し開きレバー１１の軸１２を中心とした反時計まわりの弧回動における押圧操作部１１ａ１の上下動軌跡が円弧を描くにしても、開閉弁７のほぼ中心線４４に沿うので、押し開き操作力を偏りやこじれなどなく開閉弁７に無理なく円滑に伝達することができ、開閉弁の開き操作がより軽快になる。押し開きレバー１１の軸１２から先端部１１ａまでの長さが大きいほど上下動軌跡の円弧が中心線４４に沿いやすくなる。
【００２４】
開き操作レバー１３の先端部１３ａと押し開きレバー１１の尾端部１１ｂとを連動させるのに、肩部材１７のハンドル３の基部が連続する部分に形成した凹部４５内で上下動できるように収容された仲介部材４６を利用している。仲介部材４６は押し開きレバー１１の尾端部１１ｂと、開き操作レバー１３の先端部１３ａとの間に位置し、押し開きレバー１１に働く開閉弁７の常閉付勢力によって開き操作レバー１３の先端部１３ａに常時押し付けられ、開き操作レバー１３の開き操作を押し開きレバー１１に伝達するし、開き操作を解除したときは開閉弁７の復帰に押し開きレバー１１が連動して復帰する動作を開き操作レバー１３に伝達する。なお、仲介部材４６は押し開きレバー１１の尾端部１１ｂとは当接し合うだけであるが、開き操作レバー１３の先端部１３ａには連動窓４６ａで嵌り合って当接し合うようにしてある。もっとも、これらの連動方式や具体的機構、復帰方式や具体的機構は種々に設計することができる。
【００２５】
このように、開き操作レバー１３と押し開きレバー１１とは仲介部材４６を介して連動するようにすると、２つのレバー１１、１３が互いの連動のために特に複雑な形状や構造を持たなくてよくなる。
【００２６】
図６に示す第３の実施例は、押し開きレバー１１と開き操作レバー１３とを直接連動させるようにした場合の一例であり、開き操作レバー１３の先端部１３ａに、局部的に薄肉にした樹脂ヒンジ部１３ｃを介して連動突起１３ｄを設け、この連動突起１３ｄが前記凹部４５内で上下動して押し開きレバー１１の尾端部１１ｂと連動するようにしてある。このような直接の連動方式および具体的構造も種々に設計することができる。
【００２７】
【発明の効果】
本発明の主たる特徴のハンディポットによれば、ハンドルのほぼ上下に向く握り部を手で握って器体を持ち上げ、その手の親指で開き操作機構を操作して開閉弁を開いた後、器体を傾けて貯液を注出するのに、ハンドルの握り部の上部に押し下げ操作できるように臨んでいる開き操作レバーの尾端部を押し下げ操作すると、開き操作レバーが軸を中心に弧回動して先端部で押し開きレバーの尾端部を直接または間接に押し上げて開きレバーをヘッドの窓に臨出した位置から先端部が下動するように開き操作し、これにより押し開きレバーの先端部で開閉弁をその上動付勢に抗して下方に押し開くので、２つのレバーのレバー比の設定により開閉弁を常閉なように付勢する付勢力と、開閉弁を開き操作するのに必要な操作力との関係を高い自由度で所望のままに設定でき、開閉弁の十分な常閉力によって器体が横転したときの貯液の流出防止の安全を確保しながら、開閉弁を開くのに必要な操作力を軽すぎることによる誤操作やいたずら操作されやすくなるような問題のない程度に軽減するといった微妙な設定をすることができる。併せて、開き操作レバーの尾端部の押し下げはほぼ上下に向く握り部を握った手の親指を立てた状態から前方下向きに大きく屈曲させる、いわば、シャープペンシルやボールペンの上端部でのノック操作のような自然で力の入りやすい動きによって軽快に操作することができるし、これによってハンドルのほぼ上下に向く握り部の握りも自然なものになる。従って、互いに外部に臨む２つのレバーを利用して自然な握りや親指の動きにより器体を容易に取り扱い開閉弁を軽快に開き操作できる。
【００２８】
本発明の別の特徴のハンディポットによれば、ハンドルのほぼ上下に向く握り部を手で握って器体を持ち上げ、その手の親指で開き操作機構を操作して開閉弁を開いた後、器体を傾けて貯液を注出するのに、ハンドルの握り部の上部に押し下げ操作できるように臨んでいる開き操作レバーの尾端部を押し下げ操作すると、開き操作レバーが軸を中心に弧回動して先端部で押し開きレバーの尾端部を上下動する仲介部材を介し押し上げて押し開きレバーをヘッドの窓に臨出した位置から先端部が下動するように開き操作し、これにより押し開きレバーの先端部で開閉弁をその上動付勢に抗して下方に押し開くので、２つのレバーのレバー比の設定により開閉弁を常閉なように付勢する付勢力と、開閉弁を開き操作するのに必要な操作力との関係を高い自由度で所望のままに設定でき、開閉弁の十分な常閉力によって器体が横転したときの貯液の流出防止の安全を確保しながら、開閉弁を開くのに必要な操作力を軽すぎることによる誤操作やいたずら操作されやすくなるような問題のない程度に軽減するといった微妙な設定をすることができる。併せて、開き操作レバーの尾端部の押し下げはほぼ上下に向く握り部を握った手の親指を立てた状態から前方下向きに大きく屈曲させる、いわば、シャープペンシルやボールペンの上端部でのノック操作のような自然で力の入りやすい動きによって軽快に操作することができるし、これによってハンドルのほぼ上下に向く握り部の握りも自然なものになる。従って、自然な握りや親指の動きにより器体を容易に取り扱い開閉弁を軽快に開き操作できる。特に、開き操作レバーと押し開きレバーとは仲介部材を介して連動するようにするので、２つのレバーが互いの連動のために特に複雑な形状や構造を持たなくてよくなる。
【図面の簡単な説明】
【図１】  本発明の代表的な実施の形態に係る第１の実施例のハンディポットを示す閉じ状態の断面図である。
【図２】  図１のポットの開き状態を示す断面図である。
【図３】  図１のポットの平面図である。
【図４】  第２の実施例のハンディポットを示す閉じ状態の断面図である。
【図５】  図４のポットの開き状態の断面図である。
【図６】  第３の実施例のハンディポットを示す閉じ状態の断面図である。
【図７】  従来のハンディポットを示す閉じ状態の断面図である。
【符号の説明】
１  器体
２  注出口
３  ハンドル
３ａ  握り部
４  給排液口
５  通水路
６  ばね
７  開閉弁
８  着脱栓
９  開き操作機構
１１  押し開きレバー
１２  軸
１３  開き操作レバー
１３ｂ  尾端部
１４  軸
１５  内容器
１６  外装ケース
１７  肩部材
１５ａ  真空二重びん
４６  仲介部材
【図１】
0003689263.tif 000002
【図２】
0003689263.tif 000003
【図３】
0003689263.tif 000004
【図４】
0003689263.tif 000005
【図５】
0003689263.tif 000006
【図６】
0003689263.tif 000007
【図７】
0003689263.tif 000008